【事件の表示】
　商願２０００−９８７０８拒絶査定不服審判事件について、次のとおり審決する。
【結　論】
　本件審判の請求は、成り立たない。
【理　由】
１　本願商標
　本願商標は、「ＰＬＡＳＭＡ ＩＯＮ」の欧文字と「プラズマイオン」の片仮名文字とを上下二段に横書きしてなり、第１１類「ボイラー，冷凍機械器具，暖冷房装置，家庭用電熱用品類」を指定商品として、平成１２年９月７日に登録出願されたものである。
　
２　原査定の拒絶の理由
　原査定は、「本願商標は、『電離した正負のイオンが共存し集まっている物質の状態』を意味する『ＰＬＡＳＭＡ』『プラズマ』の文字と『正または負の電気をもつ原子または原子団』を意味する『ＩＯＮ』『イオン』の文字とを『ＰＬＡＳＭＡＩＯＮ』『プラズマイオン』と二段に書してなるものであるところ、これより『プラズマを利用した機能及びイオン発生機能（を有する商品）』程の意味合いを認識させるものであるから、これを本願指定商品中、上記に照応する商品に使用するときは、単にその商品の品質、機能を表示するにすぎないものと認める。したがって、本願商標は、商標法第３条第１項第３号に該当し、前記商品以外の商品に使用するときは商品の品質の誤認を生じさせるおそれがあるから商標法第４条第１項第１６号に該当する。」旨認定、判断し、本願を拒絶したものである。
　
３　当審の判断
　本願商標は、上記のとおり「ＰＬＡＳＭＡ ＩＯＮ」と「プラズマイオン」の文字とを上下二段に横書きしてなるところ、その構成中の「ＰＬＡＳＭＡ」及び「プラズマ」の語は、「自由に運動する正負の荷電粒子が混在して、全体として電気的中性となっている物質の状態。」等の意味を、また、「ＩＯＮ」及び「イオン」の語は、「電気を帯びた原子や原子団」等の意味（ともに「大辞林 第二版」：株式会社三省堂）を有するものである。
　しかして、「プラズマ」ないし「イオン」については、それらの特性を応用したものであろうと理解させる各種製品が存するところであって、本願の指定商品中の空気清浄機、空気清浄機能の付いた除湿機・暖冷房装置等についても、両特性を合わせ応用した如き製品が存するものである。そして、これら商品の特性について、該両語は、品質等を表示するものとして使用されている実情がある。
　そうしてみると、「ＰＬＡＳＭＡ ＩＯＮ」及び「プラズマイオン」の文字よりなる本願商標を上記商品に使用するときは、これに接する取引者、需要者は「プラズマを利用した機能及びイオン発生機能（を有する商品）」等であるというほどのものとして容易に認識するものといえる。
　そして、「プラズマイオン」の語は、上記商品の機能、特性等を謳うといった方法により、広告、宣伝がされているところであり、その事実は、例えば次のような新聞記事及びインターネットによるホームページの情報等により、その一端をうかがい知ることができる。
（１）「シャープ製エアコン、エジプト社が量産へ」（2004.04.20　化学工業日報）
「プラスマイナスの両イオンによる優れた除菌効果が特徴の
プラズマ発生ユニット
プラズマイオン
（２）「シャープ、
プラズマイオン家電
「
プラズマ関連製品
プラズマ技術
（３）「シャープ、
プラズマイオン空気清浄機
「シャープはインフルエンザウイルスだけでなく、ダニアレルゲンを不活化させる効果のあることが確認された同社独自の『プラズマクラスターイオン技術』を投入した家庭用空気清浄機五機種を開発、あす十日から順次発売すると発表した。」
（４）「シャープ、中国・上海に家電のＲ＆Ｄ拠点を新設、まずエアコン設計」（2003.06.30　化学工業日報）
「シャープは二〇○五年度までに同社が発売するすべてのエアコン、冷蔵庫に、インフルエンザウイルスを死滅させる効果が確認されている
プラズマイオン発生装置
（５）「［特集］夏物商戦スタート」（2003.06.23　電気新聞）
「［白物家電］◆『自然』『体』に優しく省エネ、除菌・抗菌に注力　　・・・『体に優しい』マイナスイオンは今年も主流。エアコン、冷蔵庫、洗濯機など除菌・抗菌を目的に多く採用される。プラズマと光再生脱臭でにおいを分解するのは東芝のエアコン『新プラズマイオン大清快』。東芝では、光プラズマを冷蔵庫にも搭載し、
光プラズマとイオンの効果
（６）「ＮＴＴ―Ｘ、サイトのエコグッズ大賞にＩＮＡＸ選定」（2003.02.05　日刊工業新聞）
「大賞を受賞したのはＩＮＡＸの『サティス・トイレユニット』で、省スペース、節水に加え
プラズマイオン消臭効果
（７）「シャープ、ウイルス除去
プラズマイオン発生装置
「シャープは、北里環境科学センターと共同で、顕著なウイルス不活性化効果を確認した
プラズマイオン発生ユニット
（８）「シャープなど、
プラズマイオン
「
プラズマ放電によるイオン発生装置
（９）「アンデス電気／ＶＯＣを１０分で指針値以下に、独自の光触媒使う」（2002.05.22　日刊建設工業新聞）
「活性炭や
プラズマイオン
（１０）「三菱電機／ルームエアコンで新機種、足元から全体暖房」（2001.12.13　日刊建設工業新聞）
「このうち主力商品の・・・インバーターとスーパーサイレンサーによる静音再熱除湿、
プラズマイオン
（１１）ホームページ「携帯用　
プラズマ・イオン空気清浄機
「・・・エアゾール状の粒子を凝集・凝結させる何兆という無数の
プラズマイオン
（１２）ホームページ「空気清浄機通販カタログ」（http://www.yukaura.com/goods/electric/air/）
「空気清浄機の通信販売。
プラズマイオン発生機能
（１３）ホームページ「ＬＩＦＥＰＡＧＥ−ＳＥＮOO．ＣＯＭ」（http://www.lifepage-senoo.com/sonota.htm）
「■DW-P18CX-W　・・・　※
プラズマイオン
（１４）ホームページ「楽天ＩＣＨＩＢＡ　ｅ−ＢＥＳＴ　三菱　プラズマクリーンエア　イオンリゾート」（http://www.rakuten.co.jp/ebest/482836/452837/485626/）
「商品内容　●
プラズマイオンユニット
（１５）ホームページ「生活充実」（http://www.system-wave.com/selectshop/kai/item/2342.php）
「
プラズマイオン搭載空気清浄機
（１６）ホームページ「●ニュースリリース　●2001年10月10日『
プラズマ・イオン
「当社は、2002冷凍年度向けルームエアコンの新製品として、
マイナスイオン発生機能、プラズマ空気清浄機能、
（１７）ホームページ「Ａｌｌ　Ａｂｏｕｔ　Ｊａｐａｎ　特集５／２２　イオンがキーワード　人に優しい最新エアコン　」（http://allabout.co.jp/Ad/001184/1/product/001184_2.htm）
「東芝『
プラズマイオン
プラズマイオン
（１８）ホームページ「ｗｗｗ．ｙｏｄｏｂａｓｈｉ．ｃｏｍ　東芝　換気エアコン（6畳）RAS-225NDR-W（ムーンホワイト）大清快」（http://www.yodobashi.com/enjoy/more/i/oid2_9560883/17342781.html）
「
除菌プラズマ空気清浄ユニット電気の力でプラズマ空間
　以上によれば、前記したとおり、本願商標は、その指定商品中「空気清浄機、空気清浄機能の付いた除湿機・暖冷房装置」に使用しても、取引者、需要者は、その商品が「プラズマを利用した機能及びイオン発生機能（を有する商品）」等であることを認識するにとどまるものであるから、単に商品の機能等の品質を表示するにすぎないものというべきであり、自他商品の識別標識としての機能を果たし得ないものというのが相当であって、前記商品以外の上記機能、特性等の品質を有しない商品について使用するときは商品の品質の誤認を生じさせるおそれがあるものといわざるを得ない。
　したがって、本願商標を商標法第３条第１項第３号及び同法第４条第１項第１６号に該当するものとして拒絶した原査定は、妥当であって、取り消すべきでない。
　なお、請求人は、商品区分の第１１類との関係における「ＰＬＡＳＭＡ」及び「プラズマ」並びに「ＩＯＮ」及び「イオン」の各文字を含む商標についての登録例を提示し、本願商標も登録が認められるべきものである旨主張するが、それら登録例と本願商標は事案を異にするものであるから、この点の請求人の主張は採用することができない。
　よって、結論のとおり審決する。